(57)【要約】【課題】本発明は、餅包装袋に封入された切り餅および丸餅を、電子レンジで、短時間につきたて餅のように加熱でき、しかも餅包装袋にくっつかないで軟らかくできる。【解決手段】餅包装袋１および餅包装袋１−１の内側の内面全体に食用油脂２を、塗布することで構成される。【選択図】図２
2005075465.tif 000002
【特許請求の範囲】
【請求項１】
再閉自在餅包装袋は、ポリ塩化ビニリデンまたは、ポリエチレン、ポリプロピレン（５層）、または塩化ビニル樹脂、またはポリメチルベンテンおよびシリコーン樹脂加工耐油紙および、グラシン・シリコーン樹脂を、１軸延伸ドライラミネート加工したドライラミネートフイルムを用い、ドライラミネートフイルムの上に、切り餅および丸餅を載せ一側部の密封ファスナー凹状片３ａを食用油脂塗布面を内側にして他側部の密封ファスナー凹状片３ｂに折り返し対応させ両端部を、シールした餅包装袋の開口端内側に、開口部を開閉するための密封ファスナー部を設けた、餅包装袋のファスナー内側の内面全体に食用油脂を、塗布したことを特徴とした再閉自在餅包装袋。
【請求項２】
ドライラミネートフイルムの上に、切り餅および丸餅を載せ一側部を他側部に折り返し他側部と平行に合わせシールし両端部を、シールし一端部にＶ型ノッチを設けた、餅包装袋の内面全体に食用油脂を、塗布したことを特徴とした請求項１記載の餅包装袋。
【発明の詳細な説明】
【技術分野】
【０００１】  本発明は、餅包装袋であって餅包装袋内側の内面全体に、食用油脂を塗布したことを特  徴とする餅包装袋である。
【背景技術】
【０００２】  従来の切り餅および丸餅は、個包装されており両端部をヒートシールした個包装の両端部に設けたＶ型ノッチで引き裂いて開封し、ガスコンロの火で網の上に乗せて焼いたりまた、オーブントースターで焼いたり、お湯を沸かして茹でたり、熱い思いと時間と、手間がかかっていた。
【特許文献１】特開１９９７−２０３４８号公報
【特許文献２】特開１９９８−１３６９２０号公報
【発明の開示】
【発明が解決しようとする課題】
【０００３】  本発明は、電子レンジを使って加熱したとき、餅包装袋の内側の内面全体に餅が、くっつかないで硬い切り餅および、丸餅を電子レンジで短時間につきたて餅のように、軟らかくする時間と手間を、短縮するとともに軟らかく作りすぎた餅は，餅包装袋は開封せず冷やして固め、冷蔵、冷凍で保存し食べたい時電子レンジで過熱し食することが出来また、再閉自在餅包装袋に設けた、密封ファスナーで開封し、餅包装袋に封入された軟らかい餅を取り出した後も、餅包装袋は２〜３回使えることを課題とし発明されたものである。
【課題を解決するための手段】
【０００４】  本発明の請求項１に係る再閉自在餅包装袋は、ポリ塩化ビニリデンまたはポリエチレン、ポリプロピレン（５層）、または塩化ビニル樹脂、またはポリメチルベンテンおよびシリコーン樹脂加工耐油紙および、グラシン・シリコーン樹脂を１軸延伸ドライラミネート加工したドライラミネートフイルムを用い、一側部の密封ファスナー凹状片３ａを食用油脂塗布面を内側にして他側部の密封ファスナー凸状片３ｂに対応するよう折り返し対応させ、長手方向の両端部をシールした再閉自在餅包装袋の開口端内側に、開口部を開閉するための密封ファスナー部を設けた、再閉自在餅包装袋のファスナー内側の内面全体に食用油脂を、塗布したことを特徴とした再閉自在餅包装袋。【０００５】  本発明の請求項２に係る餅包装袋は、ポリ塩化ビニリデンまたはポリエチレン、ポリプロピレン（５層）、または塩化ビニル樹脂、またはポリメチルベンテンおよびシリコーン樹脂加工耐油紙および、グラシン・シリコーン樹脂を１軸延伸ドライラミネート加工したドライラミネートフイルムを用い、一側部を他側部に平行に折り返しシールしさらに、両端部をシールし、一端部にＶ型ノッチを設けた請求項１の餅包装袋の内面全体に、食用油脂を塗布したことを特徴とした餅包装袋。
【発明の効果】
【０００６】  以上述べたように本発明は、餅が封入された餅包装袋のまま電子レンジで、短時間に加熱することができ、しかもガスコンロの火で網の上に乗せて焼いたりまた、オーブント−スターで焼いたりするのと違い、餅包装袋の中で過熱されるので、水分があまり蒸発しないのでいつまでも軟らかく保てる、また、焼餅と違い硬い餅片が歯の隙間に挟まらないそして、食用油脂の種類をマーガリン、バター、オリーブと変えることで、幾つもの風味を味わえまた、軟らかくなった餅が、餅包装袋の内面にくっつかないのでノリ、器にするりと移せ、網や餅の付いた鍋を洗う手間が省け、短時間に手早く軟らかくできるので、面倒くささが無くなり餅の消費拡大ができる。
【発明を実施するための最良の形態】
【０００７】餅包装袋の一例としてポリ塩化ビニリデンを使用した包装袋の内面全体に食用油脂を塗布することで、餅包装袋に封入された切り餅および丸餅が、電子レンジで加熱され軟らかくなり、再閉自在餅包装袋の開口端内側に設けた密封ファスナーを、←→方向に両手で引っ張り開封しおよび、包装袋の一端部に設けたＶノッチを←→方向に両手で引き裂いて開封し器、ノリの上に移すとき、餅包装袋の内面にくっつかないで、器、ノリの上にするりとすべるように移すことが出来る。
【実施例１】
【０００８】  本発明の餅包装袋の実施例について順を追って述べると、請求項１に係る再閉自在餅包装袋１の実施の形態について図１を参照して説明すると、まず、本発明によるこの再閉自在餅包装袋１はポリ塩化ビニリデンまたは、ポリエチレン、ポリプロピレン（５層）、または塩化ビニル樹脂、またはポリメチルベンテンおよびシリコーン樹脂加工耐油紙および、グラシン・シリコーン樹脂を使用し１軸延伸ドライラミネート加工したドライラミネートフイル厶を用いた餅包装袋１ファスナー内側の内面全体に、食用油脂２を塗布した図２の餅包装袋１の、開口端１ａより内側に一側１ｂから他方側１ｂまで、連続して延びるように設けた密封ファスナー３を、構成する図２の密封ファスナー凹状片３ａと、他方の密封ファスナー凸状片３ｂ、図１から構成され、再閉自在餅包装袋１に切り餅および丸餅を封入し密封ファスナー凹状片３ａと、他方の密封ファスナー凸状片３ｂを対応させ切り餅４および丸餅を、電子レンジで加熱したとき軟らかくなる。
【実施例２】
【０００９】本発明の請求項２に係る餅包装袋１−１は、ポリ塩化ビニリデンまたはポリエチレン、ポリプロピレン（５層）、または塩化ビニル樹脂、またはポリメチルベンテンおよびシリコーン樹脂加工耐油紙および、グラシン・シリコーン樹脂を１軸延伸ドライラミネート加工したドライラミネートフイルムを用い、図５の餅包装袋の内面全体に、食用油脂２を塗布した餅包装袋１−１に封入された切り餅４および丸餅が、電子レンジで加熱されたとき軟らかくなる。
【産業上の利用可能性】
【００１０】本発明の二実施例は上述の如き構成からなるものであるから、食べる分量より多く作り過ぎたときは、餅包装袋を開封しないで、そのまま冷やして固め冷蔵、冷凍し食べたいとき再び電子レンジで過熱し食することが出来無駄が出ない、さらに、密封ファスナー付き再閉自在餅包装袋１にあっては２〜３回使用出来経済的である。【００１１】  餅包装袋の製造工程を順を追って説明する、請求項１の再閉自在餅包装袋１の製造工程について図７をもって説明する。まず包装用ラミネートフイルムの一例として、ポリ塩化ビニリデンラミネートフイルム９をロール状に巻いたフイルムを用意する。ポリ塩化ビニリデンラミネートフイルム９を１軸延伸しポリ塩化ビニリデンラミネートフイルム９の長手方向と平行に、一側の内側に密封ファスナー３を構成する密封ファスナー凹状片３ａを長手方向に伸びるように接着する。そして、他側の内側に密封ファスナー３を構成する密封ファスナー凸状片３ｂを、密封ファスナー凹状片３ａに平行に長手方向に伸びるように接着する。【００１２】  さらに、ポリ塩化ビニリデンラミネートフイルム９に設けられた、密封ファスナー３を構成する密封ファスナー凸状片３ｂと、密封ファスナー凹状片３ａの間に食用油脂２を、ポリ塩化ビニリデンラミネートフイルム９に塗布するローラ８を、密封ファスナー３を構成する密封ファスナー凸状片３ｂと、密封ファスナー凹状片３ａに直角にそして、ポリ塩化ビニリデンラミネートフイルム９に接するように設ける。【００１３】  そして、ポリ塩化ビニリデンラミネートフイルム９が、→印方向に回転すると同時に、食用油脂塗布用ローラ８もポリ塩化ビニリデンラミネートフイルム９に、食用油脂２をとふしながら→印方向に回転する、その際食用油脂塗布用ローラ８には常に食用油脂が補充される。【００１４】  さらに、ポリ塩化ビニリデンラミネートフイルム９に設けられた、一側の密封ファスナー３を、構成する密封ファスナー凹状片３ａと、他側の密封ファスナー３を構成する密封ファスナー凸状片３ｂが、対応するように食用油脂２塗布面を内側に折り返し対応させる。【００１５】  次に、密封ファスナー３を構成する密封ファスナー凹状片３ａと、他側の密封ファスナー３を構成する密封ファスナー凸状片３ｂが、対応した一端をシール５し、一端側からポリ塩化ビニリデンラミネートフイルム９ロール側に、切り餅４および丸餅を包装するのに必要な長さで、密封ファスナー３と直角になるようにシール５裁断し請求項１の餅包装袋１が完成する。【００１６】  次に、請求項２の餅包装袋１−１の製造工程について図８をもって述べる。包装用ラミネートフイルムの一例としてロール状に巻いたポリ塩化ビニリデンラミネートフイルム９を用意する。ポリ塩化ビニリデンラミネートフイルム９を、１軸延伸しポリ塩化ビニリデンラミネートフイルム９の長手方向と直角となるように、食用油脂２をポリ塩化ビニリデンラミネートフイルム９に塗布するローラ８を、ポリ塩化ビニリデンラミネートフイルム９より内側に短く設け、ポリ塩化ビニリデンラミネートフイルム９に接するように設け、ポリ塩化ビニリデンラミネートフイルム９、が→印方向に回転すると同時に、食用油脂塗布用ローラ８もポリ塩化ビニリデンラミネートフイル厶９に、食用油脂２を塗布しながら→印方向に回転する、その際食用油脂塗布用ローラ８には常に食用油脂２が補充される。【００１７】  次に、食用油脂２を塗布されたポリ塩化ビニリデンラミネートフイルム９を、長手方向の一側部から他側部に食用油脂２塗布面を内側にして折り返し、一側部と平行して重ね合わせシール５するそして、長手方向の一端部をシール５し切り餅４および丸餅を封入後他端部を切り餅４および丸餅の大きさに合った長さに、一側部から折り返した他側部に直角となるよう裁断する。【００１８】  上記のように出来た餅包装袋１−１の、一端部にＶ型ノッチを設けて完成する。【００１９】    尚、餅包装袋への餅の封入は製造工程でオートメイションにより封入することも出来  る。【００２０】  つぎに作用を説明する。餅包装袋１、餅包装袋１−２、に切り餅および丸餅を封入し、密封した後に、電子レンジの中に入れ、一例として定格高周波出力６５０ワットの電子レンジで、約４５グラムの切り餅を、約５０〜６０秒加熱するとつきたての餅同様の軟らかい感触の餅が得られ、再閉自在餅包装袋１の密封ファスナー３を構成する密封ファスナー凹状片３ａと他方の密封ファスナー凸状片３ｂを両手で図３の矢印←→方向に引っ張り開封し、きな粉餅図５、図には示さないがノリ餅、力餅として食べることができる。
【図面の簡単な説明】
【００２１】
【図１】  本発明の餅包装袋１の斜視図
【図２】  本発明の餅包装袋１のＡ−Ａ断面図
【図３】  切り餅４を封入して密封ファスナー３ａと３ｂを対応して閉じた餅包装袋１のＡ−Ａ断面図
【図４】  切り餅丸餅４を餅包装袋１−１の中に封入し一側部と両端部をシール５した斜視図
【図５】  図４のＢ−Ｂ断面図
【図６】  軟らかく出来上がったきな粉餅
【図７】  本発明による餅包装袋１の製造工程を示す。
【図８】  本発明による餅包装袋１−１の製造工程を示す。
【符号の説明】
【００２２】１は請求項１による再閉自在餅包装袋
１−１は請求項２による餅包装袋
２は食用油脂
３は密封ファスナー
３ａは密封ファスナー凹状片
３ｂは密封ファスナー凸状片
４は切り餅および丸餅
４ａは軟らかくなった餅
５はシール
６はきな粉
７はＶ型ノッチ
８は食用油脂塗布ローラ
９はポリ塩化ビニリデンラミネートフイルム
【図１】
2005075465.tif 000003
【図２】
2005075465.tif 000004
【図３】
2005075465.tif 000005
【図４】
2005075465.tif 000006
【図５】
2005075465.tif 000007
【図６】
2005075465.tif 000008
【図７】
2005075465.tif 000009
【図８】
2005075465.tif 000010